(57)【特許請求の範囲】
【請求項１】
表面に多数のディンプルが形成されたゴルフボールにおいて、ディンプルの総体積が２５０〜３８０ｍｍ3であると共に、下記方法によって算出される各ディンプルの高速領域ディンプル作用体積の総和が２１０〜２７０、かつ各ディンプルの低速領域ディンプル作用体積の総和が２１０〜３００であることを特徴とするゴルフボール。
［高速領域ディンプル作用体積の算出方法］
ディンプルの直径をＤ1（ｍｍ）としたとき、この直径が含まれる直径範囲Ｒ1を表１から求めると共に、この直径範囲Ｒ1の下限値の直径Ｄ2（ｍｍ）を有する深さの位置でディンプルを水平方向に分断した直径Ｄ1と直径Ｄ2とを有する偏平円錐台状の第１の分割部Ａ1を仮定し、この分割部Ａ1の体積（ｍｍ3）に表１から得られる上記直径範囲Ｒ1に対応する係数α1を乗じて第１の仮想分割体積Ｖ1（ｍｍ3）を算出し、次いで表１において上記直径範囲Ｒ1より１段下の直径範囲Ｒ2の下限値の直径Ｄ3（ｍｍ）を有する深さの位置でディンプルを水平方向に分断した直径Ｄ2と直径Ｄ3とを有する偏平円錐台状の第２の分割部Ａ2を仮定し、この分割部Ａ2の体積（ｍｍ3）に表１から得られる上記直径範囲Ｒ2に対応する係数α2を乗じて第２の仮想分割体積Ｖ2（ｍｍ3）を算出することを繰り返し、更に最後の直径２ｍｍ以下の範囲Ｒnの分割部Ａnの体積（ｍｍ3）にこの範囲に対応する係数αnを乗じて第ｎ番目の仮想分割体積Ｖn（ｍｍ3）を算出すると共に、上記各仮想分割体積の総和より高速領域ディンプル作用体積ＨＤＯＶを求める。
ＨＤＯＶ（ｍｍ3）＝Ｖ1＋Ｖ2＋……＋Ｖn
【表１】
0003698195.tif 000006
［低速領域ディンプル作用体積の算出方法］
ディンプルの直径をＤ1（ｍｍ）としたとき、この直径が含まれる直径範囲Ｒ1を表２から求めると共に、この直径範囲Ｒ1の下限値の直径Ｄ2（ｍｍ）を有する深さの位置でディンプルを水平方向に分断した直径Ｄ1と直径Ｄ2とを有する偏平円錐台状の第１の分割部Ａ1を仮定し、この分割部Ａ1の体積（ｍｍ3）に表２から得られる上記直径範囲Ｒ1に対応する係数β1を乗じて第１の仮想分割体積ｖ1（ｍｍ3）を算出し、次いで表２において上記直径範囲Ｒ1より１段下の直径範囲Ｒ2の下限値の直径Ｄ3（ｍｍ）を有する深さの位置でディンプルを水平方向に分断した直径Ｄ2と直径Ｄ3とを有する偏平円錐台状の第２の分割部Ａ2を仮定し、この分割部Ａ2の体積（ｍｍ3）に表２から得られる上記直径範囲Ｒ2に対応する係数β2を乗じて第２の仮想分割体積ｖ2（ｍｍ3）を算出することを繰り返し、更に最後の直径２ｍｍ以下の範囲Ｒnの分割部Ａnの体積（ｍｍ3）にこの範囲に対応する係数βnを乗じて第ｎ番目の仮想分割体積ｖn（ｍｍ3）を算出すると共に、上記各仮想分割体積の総和より低速領域ディンプル作用体積ＬＤＯＶを求める。
ＬＤＯＶ（ｍｍ3）＝ｖ1＋ｖ2＋……＋ｖn
【表２】
0003698195.tif 000007
【請求項２】
高速領域ディンプル作用体積の総和と低速領域ディンプル作用体積の総和との割合が０．８〜１．０：１である請求項１記載のゴルフボール。
【請求項３】
ゴム組成物にて形成された直径３４ｍｍ以上４０ｍｍ以下のソリッドコアにカバーを被覆してなる請求項１又は２記載のゴルフボール。
【請求項４】
カバーが２層又は３層を有する請求項３記載のゴルフボール。
【請求項５】
ディンプル形状が平面円形であり、その直径及び深さが夫々１．８〜４．６ｍｍ及び０．０８〜０．２２ｍｍであると共に、直径及び／又は深さが異なる３〜１０種類を組み合わせてなる請求項１乃至４のいずれか１項に記載のゴルフボール。
【請求項６】
ゴルフボールの表面に対するディンプル表面占有率が６９〜８２％である請求項５記載のゴルフボール。
【請求項７】
ゴルフボールがポリブタジエンによるコアと、アイオノマー樹脂による内側カバー及び熱可塑性ポリウレタンエラストマーによる外側カバーによって形成された請求項１記載のゴルフボール。
【請求項８】
内側カバーの厚さが１．０〜２．０ｍｍ、ショアＤ硬度が５０〜６３である請求項７記載のゴルフボール。
【請求項９】
外側カバーの厚さが１．０〜２．０ｍｍ、ショアＤ硬度が４０〜５２である請求項７記載のゴルフボール。
【請求項１０】
ゴルフボールに初期荷重１０ｋｇをかけた状態から終荷重１３０ｋｇをかけたときまでの圧縮変形量が２．６〜３．４ｍｍである請求項１乃至９のいずれか１項に記載のゴルフボール。
【発明の詳細な説明】
【０００１】
【発明の属する技術分野】
本発明は、ゴルフボール（ソリッドゴルフボール及び糸巻きゴルフボール）に関する。
【０００２】
【従来の技術及び発明が解決しようとする課題】
ゴルフボールにおいて最も要求される特性は飛距離が大きいということである。このため、従来より飛距離の増大を目的とした提案が種々なされている。しかしながら、その多くはヘッドスピードの大きい高速領域における飛距離の向上を目指したものであり、ヘッドスピードの小さい低速領域における飛距離は殆ど考慮されていない。このため、このようなボールは、高速領域では良好な揚抗力を受けるが、低速領域では抗力が急増し、落ち際の弱いボールになったり、あるいは揚力が急減し、ドロップするボールになる傾向があった。
【０００３】
このため、ヘッドスピードの比較的小さいプレーヤー向けに飛距離の増大を目指したゴルフボールも提案されているが、このようなボールでは、高速領域では揚力が大きすぎ、吹け上がってしまう傾向にあった。
【０００４】
このように、従来は、低速領域から高速領域の範囲まで幅広く最適な揚抗力を受けるゴルフボール、特にボールの揚抗力に影響を与えるディンプルを開発する発想は少ないものであった。
【０００５】
従って、本発明の目的は、低速領域から高速領域までの広い範囲で安定した良好な揚抗力を与え、低ヘッドスピードにおいても高ヘッドスピードにおいても良好な飛距離を与えるゴルフボールを提供することにある。
【０００６】
【課題を解決するための手段及び発明の実施の形態】
本発明者は、上記目的を達成するため鋭意検討を行い、多数のデータを分析した結果、従来よりディンプルの設計に対する指標として、総ディンプル体積等、種々の提案がなされているが、単に総ディンプル体積を規定しただけでは低速領域から高速領域までの広い範囲で良好な揚抗力を与えることができないこと、そして一つのディンプルに着目した場合、底部側の小径部分が揚抗力に与える影響と上部側の大径部分が揚抗力に与える影響に相違があることに鑑み、上部側大径部分と底部側小径部分とで異なるディンプル作用係数を考え、それら大径部分と小径部分における体積にこの係数を乗じて得られるディンプル作用体積という概念を導入することが有効であることを知見した。
【０００７】
更に検討を進めた結果、同じディンプルでも、特にヘッドスピード４６ｍ／ｓ以上の高速領域とヘッドスピード３８ｍ／ｓ以下の低速領域とではディンプル作用係数が相違すること、そして、これら高速領域と低速領域とのディンプル作用係数を後述する特定の値とし、ディンプルを後述するように分割して、それぞれの体積と上記係数とを乗じて各ディンプルのディンプル作用体積を求めると共に、全ディンプルにおけるディンプル作用体積の総和を特定の範囲とすること、この場合、特に高速領域のディンプル作用係数を用いて得られる高速領域ディンプル作用体積の総和を特定の範囲とすることにより、低速領域から高速領域までの広い範囲で安定した良好な揚抗力が得られることを見出した。また更には、それに加えて、低速領域ディンプル作用体積の総和を特定の範囲とすることが好適であり、好ましくはこれら両ディンプル作用体積の総和の比を特定の範囲にすること、また、以上のファクターと共に、好ましくはディンプル総体積を適正化することが、上記効果を発揮する上でより有利であることを見出したものである。
【０００８】
従って、本発明は、下記のゴルフボールを提供する。
請求項１：
表面に多数のディンプルが形成されたゴルフボールにおいて、ディンプルの総体積が２５０〜３８０ｍｍ3であると共に、後述する方法によって算出される各ディンプルの高速領域ディンプル作用体積の総和が２１０〜２７０、かつ各ディンプルの低速領域ディンプル作用体積の総和が２１０〜３００であることを特徴とするゴルフボール。
請求項２：
高速領域ディンプル作用体積の総和と低速領域ディンプル作用体積の総和との割合が０．８〜１．０：１である請求項１記載のゴルフボール。
請求項３：
ゴム組成物にて形成された直径３４ｍｍ以上４０ｍｍ以下のソリッドコアにカバーを被覆してなる請求項１又は２記載のゴルフボール。
請求項４：
カバーが２層又は３層を有する請求項３記載のゴルフボール。
請求項５：
ディンプル形状が平面円形であり、その直径及び深さが夫々１．８〜４．６ｍｍ及び０．０８〜０．２２ｍｍであると共に、直径及び／又は深さが異なる３〜１０種類を組み合わせてなる請求項１乃至４のいずれか１項に記載のゴルフボール。
請求項６：
ゴルフボールの表面に対するディンプル表面占有率が６９〜８２％である請求項５記載のゴルフボール。
請求項７：
ゴルフボールがポリブタジエンによるコアと、アイオノマー樹脂による内側カバー及び熱可塑性ポリウレタンエラストマーによる外側カバーによって形成された請求項１記載のゴルフボール。
請求項８：
内側カバーの厚さが１．０〜２．０ｍｍ、ショアＤ硬度が５０〜６３である請求項７記載のゴルフボール。
請求項９：
外側カバーの厚さが１．０〜２．０ｍｍ、ショアＤ硬度が４０〜５２である請求項７記載のゴルフボール。
請求項１０：
ゴルフボールに初期荷重１０ｋｇをかけた状態から終荷重１３０ｋｇをかけたときまでの圧縮変形量が２．６〜３．４ｍｍである請求項１乃至９のいずれか１項に記載のゴルフボール。
【０００９】
以下、本発明につき更に詳しく説明する。
本発明のゴルフボールは、表面に多数のディンプルが形成されたものであり、下記方法によって算出される各ディンプルの高速領域ディンプル作用体積の総和が２１０以上、好ましくは２２０以上であり、また３１０以下、好ましくは２７０以下、より好ましくは２４０以下であるものである。なお、個々のディンプルの高速領域ディンプル作用体積を以下ＨＤＯＶといい、その総和を総ＨＤＯＶという。
【００１０】
［高速領域ディンプル作用体積の算出方法］
ディンプルの直径をＤ1（ｍｍ）としたとき、この直径が含まれる直径範囲Ｒ1を表３から求めると共に、この直径範囲Ｒ1の下限値の直径Ｄ2（ｍｍ）を有する深さの位置でディンプルを水平方向に分断した直径Ｄ1と直径Ｄ2とを有する偏平円錐台状の第１の分割部Ａ1を仮定し、この分割部Ａ1の体積（ｍｍ3）に表３から得られる上記直径範囲Ｒ1に対応する係数α1を乗じて第１の仮想分割体積Ｖ1（ｍｍ3）を算出し、次いで表３において上記直径範囲Ｒ1より１段下の直径範囲Ｒ2の下限値の直径Ｄ3（ｍｍ）を有する深さの位置でディンプルを水平方向に分断した直径Ｄ2と直径Ｄ3とを有する偏平円錐台状の第２の分割部Ａ2を仮定し、この分割部Ａ2の体積（ｍｍ3）に表３から得られる上記直径範囲Ｒ2に対応する係数α2を乗じて第２の仮想分割体積Ｖ2（ｍｍ3）を算出することを繰り返し、更に最後の直径２ｍｍ以下の範囲Ｒnの分割部Ａnの体積（ｍｍ3）にこの範囲に対応する係数αnを乗じて第ｎ番目の仮想分割体積Ｖn（ｍｍ3）を算出すると共に、上記各仮想分割体積の総和より高速領域ディンプル作用体積ＨＤＯＶを求める。
ＨＤＯＶ（ｍｍ3）＝Ｖ1＋Ｖ2＋……＋Ｖn
【００１１】
【表３】
0003698195.tif 000002
【００１２】
上記総ＨＤＯＶが上記範囲より小さいと、高ヘッドスピード打撃時に吹け上がり、また上記範囲より大きいと、弾道が低くなり、いずれも飛距離の低下につながる。
【００１３】
本発明においては、更に下記方法によって算出される各ディンプルの低速領域ディンプル作用体積の総和を２１０以上、好ましくは２３０以上、より好ましくは２５０以上とし、また３１０以下、好ましくは３００以下、より好ましくは２７０以下とすることが好適である。なお、個々のディンプルの低速領域ディンプル作用体積を以下ＬＤＯＶといい、その総和を総ＬＤＯＶという。
【００１４】
［低速領域ディンプル作用体積の算出方法］
ディンプルの直径をＤ1（ｍｍ）としたとき、この直径が含まれる直径範囲Ｒ1を表４から求めると共に、この直径範囲Ｒ1の下限値の直径Ｄ2（ｍｍ）を有する深さの位置でディンプルを水平方向に分断した直径Ｄ1と直径Ｄ2とを有する偏平円錐台状の第１の分割部Ａ1を仮定し、この分割部Ａ1の体積（ｍｍ3）に表４から得られる上記直径範囲Ｒ1に対応する係数β1を乗じて第１の仮想分割体積ｖ1（ｍｍ3）を算出し、次いで表４において上記直径範囲Ｒ1より１段下の直径範囲Ｒ2の下限値の直径Ｄ3（ｍｍ）を有する深さの位置でディンプルを水平方向に分断した直径Ｄ2と直径Ｄ3とを有する偏平円錐台状の第２の分割部Ａ2を仮定し、この分割部Ａ2の体積（ｍｍ3）に表４から得られる上記直径範囲Ｒ2に対応する係数β2を乗じて第２の仮想分割体積ｖ2（ｍｍ3）を算出することを繰り返し、更に最後の直径２ｍｍ以下の範囲Ｒnの分割部Ａnの体積（ｍｍ3）にこの範囲に対応する係数βnを乗じて第ｎ番目の仮想分割体積ｖn（ｍｍ3）を算出すると共に、上記各仮想分割体積の総和より低速領域ディンプル作用体積ＬＤＯＶを求める。
ＬＤＯＶ（ｍｍ3）＝ｖ1＋ｖ2＋……＋ｖn
【００１５】
【表４】
0003698195.tif 000003
【００１６】
上記総ＬＤＯＶが上記範囲より小さいと、低ヘッドスピード打撃時に吹け上がり、また上記範囲より大きいと、弾道が低く、飛距離が低下しやすい。
【００１７】
更に、上記総ＨＤＯＶと総ＬＤＯＶとの比（総ＨＤＯＶ／総ＬＤＯＶ）は０．８以上、特に０．８２以上であり、また１．０以下、特に０．９５以下とすることが好ましい。この比が小さすぎると、高ヘッドスピード打撃において飛距離が低下する傾向となり、逆に大きすぎると、低ヘッドスピード打撃において飛距離が低下する傾向になる。
【００１８】
ここで、ＨＤＯＶ，ＬＤＯＶの算出方法について、図１を参照して更に詳しく説明すると、ディンプル１０の直径をＤ1ｍｍとした場合、この直径が含まれる直径範囲Ｒ1を表３，４から求める。例えば、直径が４．１ｍｍである場合、その直径範囲は表３，４においてＮｏ．３の範囲である。そして、この直径範囲Ｒ1の下限値の直径Ｄ2ｍｍ（例えば直径が４．１ｍｍの場合、その範囲Ｎｏ．３の下限値４．０ｍｍ）を有する深さの位置でディンプル１０を水平方向に分断して（いわゆる輪切りにして）、直径Ｄ1ｍｍと直径Ｄ2ｍｍとを有する（上記例の場合であれば直径４．１ｍｍと直径４．０ｍｍの）偏平円錐台状の第１の分割部Ａ1を仮定し、この分割部Ａ1の体積Ｂ1ｍｍ3を求めると共に、この体積Ｂ1ｍｍ3に上記直径範囲Ｒ1に対応する係数、ＨＤＯＶの場合であればα1、ＬＤＯＶの場合であればβ1を乗じて、第１の仮想分割体積Ｖ1ｍｍ3（ＨＤＯＶの場合）又はｖ1ｍｍ3（ＬＤＯＶの場合）を算出する。例えば、上記例において、直径範囲Ｎｏ．３のＨＤＯＶの係数は１．００、ＬＤＯＶの係数は０．４０であるので、この係数を上記体積Ｂ1ｍｍ3に乗じて、それぞれ第１の仮想分割体積Ｖ1ｍｍ3，ｖ1ｍｍ3を算出する。
【００１９】
次いで、表３，４において、上記直径範囲Ｒ1より１段下の直径範囲Ｒ2（上記例の場合は、直径範囲Ｎｏ．３より１段下の直径範囲Ｎｏ．４）の下限値の直径Ｄ3ｍｍ（上記例の場合は、直径範囲Ｎｏ．４の下限値である直径３．８ｍｍ）を有する深さの位置で上記と同様にディンプル１０を水平方向に分断し、直径Ｄ2ｍｍと直径Ｄ3ｍｍとを有する（上記例の場合であれば、直径４．０ｍｍと直径３．７ｍｍの）偏平円錐台状の第２の分割部Ａ2を仮定する。そして、この分割部Ａ2の体積Ｂ2ｍｍ3を求めると共に、上記直径範囲Ｒ2に対応する係数α2（ＨＤＯＶの場合）又は係数β2（ＬＤＯＶの場合）を上記体積Ｂ2ｍｍ3に乗じて、第２の仮想分割体積Ｖ2ｍｍ3又はｖ2ｍｍ3を算出する。上記例の場合では、直径範囲Ｎｏ．４の係数１．００（ＨＤＯＶの場合）又は係数０．６０（ＬＤＯＶの場合）を上記体積Ｂ2に乗じて、それぞれ第２の仮想分割体積Ｖ2ｍｍ3，ｖ2ｍｍ3を算出する。
【００２０】
更に、上記と同様の算出手順を直径範囲Ｎｏ．１３まで繰り返し、各直径範囲における仮想分割体積Ｖ3ｍｍ3，Ｖ4ｍｍ3，……（ＨＤＯＶの場合）、又はｖ3ｍｍ3，ｖ4ｍｍ3，……（ＬＤＯＶの場合）を算出する。
【００２１】
最後の直径範囲Ｒn、即ち直径範囲２．０ｍｍ以下である直径範囲Ｎｏ．１４の場合も、その分割部Ａnの体積Ｂnｍｍ3を求め、この範囲に対応する係数αn又はβn、即ちＨＤＯＶの場合は係数０．２０、ＬＤＯＶの場合は係数０．５０を上記体積Ｂnｍｍ3に乗じ、その仮想分割体積Ｖnｍｍ3（ＨＤＯＶの場合）又はｖnｍｍ3（ＬＤＯＶの場合）を算出する。
【００２２】
上記ディンプルにおけるＨＤＯＶは、上記各分割部Ａ1，Ａ2，Ａ3，Ａ4，……Ａnの仮想分割体積Ｖ1，Ｖ2，Ｖ3，Ｖ4，……Ｖnｍｍ3の総和であり、ＬＤＯＶは、上記各分割部Ａ1，Ａ2，Ａ3，Ａ4，……Ａnの仮想分割体積ｖ1，ｖ2，ｖ3，ｖ4，……ｖnｍｍ3の総和であり、下記式で示される。
ＨＤＯＶ（ｍｍ3）＝Ｖ1＋Ｖ2＋Ｖ3＋Ｖ4＋……＋Ｖn
ＬＤＯＶ（ｍｍ3）＝ｖ1＋ｖ2＋ｖ3＋ｖ4＋……＋ｖn
【００２３】
そして、このようにして算出した各ディンプルのＨＤＯＶの総和が総ＨＤＯＶであり、各ディンプルのＬＤＯＶの総和が総ＬＤＯＶである。
【００２４】
ここで、本発明において、図２に示したように、ディンプル１０中央部における縦断面を見たとき、図２における左右の最高点が水平になるようにした場合での最高点をディンプルエッジＥ，Ｅとし、このエッジＥ，Ｅ間をディンプルの直径Ｄ1とする。また、上記エッジＥ，Ｅを結んだ線分からディンプル最深部までの距離をディンプル深さＤeとする。従って、ディンプル体積Ｖは、上記エッジに囲まれる部分のディンプル体積となる。なお、ディンプル体積Ｖｍｍ3は上記各分割部Ａ1，Ａ2，Ａ3，Ａ4，……Ａnの体積Ｂ1，Ｂ2，Ｂ3，Ｂ4，……Ｂnｍｍ3の総和である。
Ｖ（ｍｍ3）＝Ｂ1＋Ｂ2＋Ｂ3＋Ｂ4＋……＋Ｂn
また、上記ディンプル総体積は、上記各ディンプルの体積の総和である。
【００２５】
なお、本発明において、上記ＨＤＯＶ，ＬＤＯＶの算出方法における水平方向とは、図２におけるエッジＥ，Ｅを結んだ線分と平行な方向を意味する。
【００２６】
本発明において、上記ディンプル総体積は２５０ｍｍ3以上、より好ましくは２８０ｍｍ3以上、更に好ましくは３００ｍｍ3以上であり、また４００ｍｍ3以下、より好ましくは３８０ｍｍ3以下、更に好ましくは３６０ｍｍ3以下、特には３３０ｍｍ3以下とすることが好ましい。ディンプル総体積が小さすぎると、吹け上がる弾道となってランが出にくく、また風に影響されやすい弾道になりやすく、逆に大きすぎると、低すぎる弾道となってキャリーが劣る傾向となり、かつばらつきやすい傾向となる。
【００２７】
なお、本発明において、ディンプル形状は、通常平面円形であり、その直径は１．８ｍｍ以上、より好ましくは２．４ｍｍ以上、更に好ましくは３．０ｍｍ以上であり、また４．６ｍｍ以下、より好ましくは４．４ｍｍ以下、更に好ましくは４．２ｍｍ以下であることが好ましい。深さは０．０８ｍｍ以上、より好ましくは０．１０ｍｍ以上、更に好ましくは０．１２ｍｍ以上であり、また０．２２ｍｍ以下、より好ましくは０．２０ｍｍ以下、更に好ましくは０．１９ｍｍ以下であることが好ましい。
【００２８】
ディンプルの総数ｎは、３６０個以上５４０個以下であることが好ましい。より好ましくは３８０個以上、更に好ましくは３９０個以上であり、またより好ましくは４５０個以下、更に好ましくは４００個以下である。この場合、ディンプルは、その直径が互いに異なる２種以上、より好ましくは３種以上、更に好ましくは４種以上であり、また直径が互いに異なる６種以下、特に５種以下の組み合わせである多種ディンプルであることが好ましい。また、深さが互いに相違してもよい。従って、互いに直径及び／又は深さが相違する３種以上、特に４種以上であり、また１０種以下、特に８種以下のディンプルの組み合わせとすることが好適である。
【００２９】
上記ディンプルの配列方法は、公知の方法を採用し得、上記ディンプルが均等に配置していれば特に制限されないが、８面体配列、２０面体配列、半球を２〜６に等分割するなどの球面分割法を採用し得、その分割領域内にディンプルを配置する方法とすることができる。なお、これらの方法に微修正を施す方法もとることができる。この場合、ディンプル表面占有率は６９〜８２％、特に７２〜７７％であることが好ましい。
【００３０】
本発明のゴルフボールは、ソリッドゴルフボールでも糸巻きゴルフボールでもよく、従って、そのコアはソリッドコアでも糸巻きコアでもよい。従来公知のいずれのコアに適用してもよいが、より好ましくはソリッドゴルフボールとされる。
【００３１】
この場合、ソリッドゴルフボールは、コアとカバーとを有するものであればよいが、本発明の目的をより有効に達成する点から、コアがゴム組成物により形成され、直径が３４〜４０ｍｍ、特に３４〜３８ｍｍであるものが好ましい。
【００３２】
ここで、ゴム組成物としては、基材としてポリブタジエンを使用したものが好ましい。このポリブタジエンとしては、シス構造を少なくとも４０％以上有する１，４−シスポリブタジエンが好適に挙げられる。また、この基材ゴム中には、所望により該ポリブタジエンに天然ゴム、ポリイソプレンゴム、スチレンブタジエンゴムなどを適宜配合することができる。ゴム成分を多くすることにより、ゴルフボールの反発性を向上させることができる。
【００３３】
また、上記ゴム組成物には、架橋剤としてメタクリル酸亜鉛、アクリル酸亜鉛等の不飽和脂肪酸の亜鉛塩、マグネシウム塩やトリメチルプロパンメタクリレート等のエステル化合物を配合し得るが、特にアクリル酸亜鉛を好適に使用し得る。これら架橋剤の配合量は、上記基材ゴム１００重量部に対し、１０重量部以上３０重量部以下とすることが好ましい。
【００３４】
上記ゴム組成物中には、通常、加硫剤が配合されているが、この加硫剤中には、１分間で半減期を迎える温度を１５５℃以下とするパーオキサイドが含まれていることが推奨され、その配合量は加硫剤全体の３０重量％以上、特に４０重量％以上であり、その上限は特に制限されないが、７０重量％以下であることが好ましい。このようなパーオキサイドとしては、市販品を挙げることができ、例えばパーヘキサ３Ｍ（日本油脂社製）等が挙げられる。その配合量は、基材ゴム１００重量部に対し、０．６重量部以上２重量部以下とすることができる。
【００３５】
更に、必要に応じて、老化防止剤や比重調整の充填剤として酸化亜鉛や硫酸バリウム等を配合することができる。
【００３６】
上記ゴム組成物は、公知の方法で加硫・硬化させてソリッドコアを製造することができるが、その直径は３４ｍｍ以上、特に３５ｍｍ以上であり、また４０ｍｍ以下、より好ましくは３８ｍｍ以下、更に好ましくは３７ｍｍ以下とすることが好ましい。
【００３７】
また、カバーも従来公知のカバー構成とすることができ、単一カバーであってもよいが、２層又は３層もしくはそれ以上の複数層カバー構成とすることが、ドライバーショット時の低スピン化及びアプローチショット時の高スピン化の点から好ましい。
【００３８】
この場合、本発明においては、最外層カバーが厚さ１．０ｍｍ以上、特に１．４ｍｍ以上で、２．０ｍｍ以下、特に１．７ｍｍ以下であり、ショアＤ硬度が４０以上、より好ましくは４３以上、更に好ましくは４４以上であり、また５２以下、より好ましくは５０以下、更に好ましくは４７以下であることが好ましい。厚さが薄すぎるとボールの耐久性が劣る場合があり、逆に厚すぎるとボールの反発性が低下するおそれがある。また、ショアＤ硬度が小さすぎると反発性が低下したり、ボール成形時に脱型性が低下するおそれがあり、逆に大きすぎると硬いフィーリングとなったり、アプローチショット時のスピンが少なくなる傾向となる。
【００３９】
更に、カバーが複数層構成の場合、外から２番目のカバー層の厚さが１．０ｍｍ以上、特に１．４ｍｍ以上で、２．０ｍｍ以下、特に１．７ｍｍ以下であることが好ましい。厚さが薄すぎるとボールの耐久性が低下するおそれがあり、逆に厚すぎると反発性が低下するおそれがある。
【００４０】
また、カバーの総厚さは２．０ｍｍ以上、特に２．６ｍｍ以上で、４．０ｍｍ以下、特に３．４ｍｍ以下とすることが好ましい。
【００４１】
上記カバーは、アイオノマー樹脂、ポリウレタン系熱可塑性エラストマー、ポリエステル系熱可塑性エラストマーなどの公知のカバー用熱可塑性樹脂にて形成することができる。
【００４２】
外から２番目のカバー層又はコアを被覆する内側カバーは、熱可塑性樹脂にて形成することがよく、熱可塑性樹脂としては、例えば、公知の熱可塑性樹脂、熱可塑性エラストマー等を挙げることができ、具体的には、ナイロン、ポリアリレート、アイオノマー樹脂、ポリプロピレン樹脂、ポリウレタン系熱可塑性エラストマー、ポリエステル系熱可塑性エラストマーなどを挙げることができ、市販品としてサーリンＡＤ８５１２（デュポン社製アイオノマー樹脂）、ハイミラン１７０６，同１７０７（三井・デュポンポリケミカル社製アイオノマー樹脂）、リルサンＢＭＮＯ（エルフアトケム社製ポリアミド系樹脂）、ＵポリマーＵ−８０００（ユニチカ社製ポリアリレート樹脂）などが例示されるが、特にアイオノマー樹脂が好ましい。なお、外から２番目のカバー層又は内側カバーの厚さは、１．０〜２．０ｍｍが望ましく、１．４〜１．７ｍｍが更に望ましい。また、ショアＤ硬度は５０〜６３が望ましく、５４〜６０が更に望ましく、５５〜５７が最も望ましい。
【００４３】
本発明のゴルフボールは、通常、上記カバー上に更に塗装を施すことによって製品とされるが、本発明のゴルフボールは、ボールに初期荷重１０ｋｇをかけた状態から終荷重１３０ｋｇをかけたときまでの圧縮変形量（以下、μ硬度という）が２．６〜３．４ｍｍであるように形成することがフィーリング、反発性能の点より好ましい。μ硬度が小さすぎると、フィーリング、特にドライバーなどのボールが大変形を起こすショット時のフィーリングが硬くなる場合があり、逆に大きすぎると、十分な反発が確保できない場合がある。
【００４４】
本発明のゴルフボールの直径、重さは、ゴルフ規則に従うものであるが、飛び性能を良くする等の点から、直径４２．６７〜４２．９７ｍｍの範囲に形成する。また、重さは４４．９〜４５．９ｇの範囲が好ましい。
【００４５】
【実施例】
以下、実施例と比較例を示し、本発明を具体的に説明するが、本発明は下記の実施例に制限されるものではない。
【００４６】
〔実施例，比較例〕
常法に従い、表５に示す組成でソリッドコアを作製した。
次いで、上記コアに表５に示す内側カバー及び外側カバーを被覆した。
【００４７】
【表５】
0003698195.tif 000004
注：ダイナロン    日本合成ゴム社製，ブロックコポリマー，ブタジエン−スチレン共重合体水素添加物
サーリン      デュポン社製，アイオノマー樹脂
ＰＡＮＤＥＸ  大日本インキ化学工業社製，熱可塑性ポリウレタンエラストマー
【００４８】
この場合、ゴルフボール表面には、図３，４に示す態様で表６に示すディンプルを形成した。但し、比較例２においては図５，６に示す態様とした。ここで、図において、１００番台のディンプルは表６におけるディンプル▲１▼、２００番台のディンプルはディンプル▲２▼、３００番台のディンプルはディンプル▲３▼を示す（以下同様）。
【００４９】
次に、得られたゴルフボールについて、下記方法で飛び試験を行った。結果を表６に併記する。
【００５０】
飛び試験
ミヤマエ社製スイングロボットを用い、ドライバーで各ボールを２０発ずつ打撃し、仰角（水平に対する高さ方向の角度）、キャリー、トータル飛距離を測定した。
＜使用クラブ＞
ヘッドスピード５０ｍ／ｓ
ヘッド：  ブリヂストンスポーツ社製，Ｊ’ｓ−ＭＥＴＡＬ，ロフト角７．５°，ライ角５７°，ＳＵＳ６３０ステンレス，ロストワックス製法
シャフト：ハーモテックプロ，ＨＭ−７０，ＬＫ（先調子），硬さＸヘッドスピード３５ｍ／ｓ
ヘッド：  ブリヂストンスポーツ社製，Ｊ’ｓ−ＭＥＴＡＬ，ロフト角９．５°，ライ角５７°，ＳＵＳ６３０ステンレス，ロストワックス製法
シャフト：ハーモテックプロ，ＨＭ−７０，ＬＫ（先調子），硬さＸ
【００５１】
【表６】
0003698195.tif 000005
【００５２】
実施例１は、４種のディンプル直径をもち、そのうち２種は２つの深さをもち、コアと２層のカバーからなる。実施例２は、実施例１のディンプルを若干深くしたボール、実施例３は、実施例２のディンプルを更に深くしたボール、実施例４は、実施例１〜３とは異なる断面をもつボールである。
【００５３】
比較例１は、実施例１〜４とは異なる断面をもつボールで、ＨＤＯＶが小さいボール、比較例２は、上記とは全く異なる配列で、ＨＤＯＶが小さいボールである。
【００５４】
ヘッドスピード５０ｍ／ｓでのドライバー条件の結果より、下記の点が認められる。
実施例１はよく飛ぶ。
実施例２は実施例１よりやや低弾道であるがよく飛ぶ。
実施例３は実施例１よりかなり低弾道でキャリーは今一つだが、ランはよく転がる。
実施例４は実施例１よりやや劣る。
比較例１は実施例１，比較例２ほど飛んでいない。
比較例２は実施例１より劣る。
【００５５】
ヘッドスピード３５ｍ／ｓでのドライバー条件の結果より、下記の点が認められる。
実施例１はよく飛ぶ。
実施例２は実施例１より更に飛ぶ。
実施例３は最もよく飛ぶ。
実施例４は実施例１と同じくらいの高さだが、やや飛距離は劣る。
比較例１は実施例１ほど飛んでいないが、比較例２よりは飛ぶ。
比較例２は実施例１より劣る。
【００５６】
なお、ヘッドスピード３５ｍ／ｓの打撃でも、最初のうちは高速領域に近いため、ＨＤＯＶが低いとややふけ気味の弾道となることが認められた。
【００５７】
【発明の効果】
本発明によれば、低速領域から高速領域の広い範囲で良好な飛距離を与えるディンプルを有するゴルフボールが効率よく確実に得られる。
【図面の簡単な説明】
【図１】本発明のＨＤＯＶ及びＬＤＯＶの算出方法の説明図である。
【図２】本発明におけるディンプル形状の説明図である。
【図３】実施例１〜４並びに比較例１のゴルフボールのディンプル配列態様の説明図である。
【図４】同ゴルフボールの平面図である。
【図５】比較例２のゴルフボールのディンプル配列態様の説明図である。
【図６】同ゴルフボールの平面図である。
【符号の説明】
１０  ディンプル
Ｄ1   直径
Ｄe   深さ
Ｅ    エッジ
Ｖ    体積
【図１】
0003698195.tif 000008
【図２】
0003698195.tif 000009
【図３】
0003698195.tif 000010
【図４】
0003698195.tif 000011
【図５】
0003698195.tif 000012
【図６】
0003698195.tif 000013